(57)【要約】【課題】ケーブル線との接続強度に優れたコネクタ及びその接続構造の提供を目的とする。【解決手段】コネクタには、内側にケーブル挿入孔を有し外周部がチューブ部材被覆部となる筒状のケーブル装着部を備え、ケーブル装着部の外周面にケーブル挿入孔まで貫通した切り欠き穴を少なくとも一箇所以上備え、ケーブル装着部にケーブル線を挿入接続し、ケーブル装着部の外周面の切り欠き穴を覆うように、ケーブル装着部とケーブル線との継ぎ目にチューブ部材を被せてあることを特徴とする。  なお、貫通した切り欠き穴は凹部形状でもよい。【選択図】  図１
2006196193.tif 000002
【特許請求の範囲】
【請求項１】
コネクタには、内側にケーブル挿入孔を有し外周部がチューブ部材被覆部となる筒状のケーブル装着部を備え、ケーブル装着部の外周面にケーブル挿入孔まで貫通した切り欠き穴を少なくとも一箇所以上備え、ケーブル装着部にケーブル線を挿入接続し、ケーブル装着部の外周面の切り欠き穴を覆うように、ケーブル装着部とケーブル線との継ぎ目にチューブ部材を被せてあることを特徴とするコネクタとケーブルの接続構造。
【請求項２】
コネクタには、内側にケーブル挿入孔を有し外周部がチューブ部材被覆部となる筒状のケーブル装着部を備え、ケーブル装着部の外周面に少なくとも一箇所以上の凹部を備え、ケーブル装着部にケーブル線を挿入接続し、ケーブル装着部の外周面の凹部を覆うように、ケーブル装着部とケーブル線との継ぎ目にチューブ部材を被せてあることを特徴とするコネクタとケーブルの接続構造。
【請求項３】
チューブ部材は、弾性材又は熱収縮性材を用いたものであることを特徴とする請求項１又は２に記載のコネクタとケーブルの接続構造。
【発明の詳細な説明】
【技術分野】
【０００１】
本発明は、ケーブル線の接続強度に優れるコネクタとケーブルの接続構造に関する。
【背景技術】
【０００２】
ケーブル線の中継接続にプラグ・ソケットタイプのコネクタを使用する場合が多い。
この種のコネクタの中でも従来の防水コネクタの構造例を図４に示す。
コネクタのソケット１１０には、コンタクト５を先端部に接続したケーブル線１が装着されていて、ソケット１１０とケーブル線１との継ぎ目を被覆するように防水チューブ３をかぶせている。
プラグ１１０ａ側もケーブル線１ａが同様にして接続されている。
この場合に、ケーブル線１を引く力が強い場合には、ケーブル線がソケットより抜けるようにずれる。
特に、防水チューブ３のケーブル線１とコネクタ１１０の継ぎ目１２０部分が図４（ロ）に示すように伸びやすい。
この伸びた長さ相当の距離をケーブル線１が引っ張り方向に移動してしまい、コネクタソケット１１０に接続されるコンタクト５の係止部５ａが外れたり、ケーブル導体部６が損傷してしまう技術的課題があった。
特開平０５−２５８７８６号公報にはコネクタとケーブルとの接続部に防水チューブの上から熱収縮チューブを取り付ける技術を開示するが、この場合にもケーブル線とコネクタの継ぎ目にて伸びる問題を有している。
【０００３】
【特許文献１】特開平０５−２５８７８６号公報
【発明の開示】
【発明が解決しようとする課題】
【０００４】
本発明は上記技術的課題に鑑みて、ケーブル線との接続強度に優れたコネクタとケーブルの接続構造の提供を目的とする。
【課題を解決するための手段】
【０００５】
本発明に係るコネクタとケーブルの接続構造は、コネクタには、内側にケーブル挿入孔を有し外周部がチューブ部材被覆部となる筒状のケーブル装着部を備え、ケーブル装着部の外周面にケーブル挿入孔まで貫通した切り欠き穴を少なくとも一箇所以上備え、ケーブル装着部にケーブル線を挿入接続し、ケーブル装着部の外周面の切り欠き穴を覆うように、ケーブル装着部とケーブル線との継ぎ目にチューブ部材を被せてあることを特徴とする。
【０００６】
ケーブル装着部の外周面に少なくとも一箇所以上の貫通した切り欠き穴を備えることにより、ケーブル線をコネクタに接続し、チューブ部材を被覆した際にチューブ部材が切り欠き穴部分でもケーブル線と接続するようになる。
この場合に、チューブ部材がケーブルの装着方向に沿ってケーブル装着部の端部から切り欠き穴までの間の部分を包み込むように一体的に接続するので、このケーブル装着部の端部から切り欠き穴までの間の部分がケーブル線ズレ規制部として作用する。
これにより、ケーブル線に抜け方向の力が加わっても、ケーブル線の抜け方向側へのズレを防止しする。
【０００７】
従って、本発明においては、ケーブル挿入孔まで貫通した切り欠き穴でなく、底のある凹部形状にしてもケーブル線のズレを防止する効果が期待でき、具体的には、コネクタには、内側にケーブル挿入孔を有し外周部がチューブ部材被覆部となる筒状のケーブル装着部を備え、ケーブル装着部の外周面に少なくとも一箇所以上の凹部を備え、ケーブル装着部にケーブル線を挿入接続し、ケーブル装着部の外周面の凹部を覆うように、ケーブル装着部とケーブル線との継ぎ目にチューブ部材を被せるようにしても、このケーブル装着部の端部から凹部までの間の部分がチューブ部材の伸びを抑えるのでケーブル線のズレを抑えるように作用する。
【０００８】
チューブ部材としては、弾性材や熱収縮材を採用するのがよく、特に、コネクタのケーブル装着部に切り欠き穴を備えた場合には、熱収縮材の内周面に熱溶融接着層を備えると切り欠き穴部でのケーブル線との接合が、さらに、強くなりケーブル線のズレを抑える。
【発明の効果】
【０００９】
本発明においては、コネクタのケーブル装着部に切り欠き穴又は凹部を設けてチューブ部材で被せたことにより、ケーブル装着部のケーブル挿入側端部と切り欠き穴又は凹部の間の部分がケーブル線ズレ規制部（チューブ部材伸び規制部）となり、ケーブル線がコネクタから抜けるようにずれるのを防止する。
この場合、ケーブル挿入孔まで貫通した切り欠き穴であるとケーブル線の挿入が外部から目視で確認でき、ケーブル線ズレ規制部の形成によりチューブ部材の長さを短くできる。
また、凹部形状の場合にケーブル線ズレ規制部により摩擦力が増大することでケーブルが抜けにくくなる。
【００１０】
チューブ部材は、弾性を備えて伸縮可能な素材からなる樹脂製のチューブを用いると取り付けが簡単で締め付け力を利用することが出来る。
樹脂製のチューブとしては、熱収縮チューブを用いることもできる。
そしてチューブ部材には接合面側に接着剤や粘着剤を備えると、ケーブル線ズレ規制部とケーブル線被覆部との連結力が強くなる。
このような樹脂製のチューブを、コネクタとケーブル線の継ぎ目部分に被覆する構造は、例えば防水コネクタに適用し、防水熱収縮チューブを用いると防水性向上とケーブル線の接続強度向上を同時に図ることができる。
【発明を実施するための最良の形態】
【００１１】
図１に本発明に係るコネクタとケーブルの接続構造をコネクタのソケット側（以下コネクタと称する）に適用した実施例を示す。
図１（イ）はコネクタ１０の斜視図を示し、（ロ）は左側面図を示し、（ハ）は平面図を示し、（ニ）へ正面図を示す。
コネクタ１０は、ケーブル挿入孔２６を備えた略円筒状のケーブル装着部２３をハウジング２０に備えている。
ケーブル装着部２３は、例えば上下に切り欠き穴２５を形成すると、ハウジング２０の相手側コネクタとの嵌合側である嵌合部２１からケーブル線の配置方向に向けて延びる２つの支持部２２を有することになる。
その支持部２２の先には、切り欠かれずに残った略円筒状（リング状）のケーブル線ズレ規制部２４を備えるようになる。
図１に示したケーブル装着部２３の例は、ケーブル線シングル接続の場合で、複線接続の場合にはそれに応じて設計される。
また、切り欠き穴の方がケーブル線のズレ防止効果が高いが、切り欠き穴がケーブル線挿入孔側まで貫通していない凹部形状でもよい。
ケーブル線の接続側の端部をケーブル挿入孔２６に挿入して接続すると、ケーブル線の外周部が切り欠き穴２５から見える状態になる。
この切り欠き穴２５は、ケーブル装着部２３に支持部２２を残して所定の幅で切り込んで形成し、切り欠き穴の数により支持部の数や大きさも異なることになる。
また、切り欠き穴２５の縁部２５ａは、ハウジング２０外側に向けて開口寸法が広がるように傾斜している。
【００１２】
図２はコネクタ１０にケーブル線１を接続する説明図を示す。
図２（イ）に示すように、接続するケーブル線１は、熱収縮チューブ３の穴３ａを通してコネクタ１０のケーブル挿入孔２６へと挿し込みコネクタ１０と接続する。
ケーブル装着部２３には切り欠き穴２５を、ケーブル線１を接続した状態ではこの切り欠き穴２５からケーブル線被覆部２の表面が外部から見えるように形成し、接着や密着あるいは粘着接合可能な例えば熱収縮チューブ３等をケーブル装着部２３からケーブル線とコネクタとの継ぎ目を覆うように被せる。
チューブ部材としては、他に例えばポリオレフィン製やシリコン製、あるいはゴム製のチューブ部材等を接着剤により取り付ける方法やテープ状のものをチューブ状に巻き付ける方法等も考えられる。
コネクタ１０が防水コネクタの場合には防水熱収縮チューブ部材を用いると、接続部の強度向上に加えて防水性の向上を図ることができる。
嵌合部２１側よりには、図２に示すように周方向にリング状に突出した周状突起部２１ａを設けており、熱収縮チューブ部材３をケーブル線ズレ規制部２４からこの周状突起部２１ａまで連続的に被覆すると、コネクタ１０に対する接合強度をより高めて、防水効果も得ることが出来る。
熱収縮チューブ３は、周状突起部２１ａから、ケーブル装着部２３とケーブル線被覆部２のコンタクト５側を覆うように配置した上で温風をあてて、図２（ロ）にケーブル線の接続状態を示すように収縮させる。
この熱収縮チューブ３は、内周面に熱融着性接着剤を備えたものが好ましいが、収縮することで密着するタイプでもよい。
図２（ロ）のコネクタとケーブル線の長さ方向の断面の説明図を図３に示す。
図２（ロ）、図３において、収縮した熱収縮チューブ３はケーブル線ズレ規制部２４と接合し、切り欠き穴２５内部分の熱収縮チューブ３ｂとケーブル線被覆部２ａとがそれぞれ接合することで、それらを連結固定している。
ケーブル線１に矢印に示すようなケーブル抜け方向の引っ張り力が加わると、切り欠き穴２５内の熱収縮チューブ３ｂとケーブル線被覆部２ａとの接合部４は矢印のケーブル抜け方向側へ移動しようとするが、支持部２２にて連結しているケーブル線ズレ規制部２４に係り規制されるためケーブル線１抜け方向側へずれることがない。
つまり、ケーブル線１の抜け方向側へのズレを防止するため、例えば図３に示すケーブル線１のコンタクト５の係止部５ａと係止部受け部１１の係合部分の破損やケーブル線の導体部６の切断などの不具合を防止できる。
ケーブル線１がコネクタに対してズレないために、図３においては熱収縮チューブ３のコネクタ１０とケーブル線１との境界部分３ｃはケーブル抜け方向側へ殆ど伸びない。
【００１３】
本発明に係るコネクタ及びケーブル線接続構造をソケット側の例で説明したが、プラグ側にも同様に適用できるだけでなく、各種コネクタとケーブル線の接続に適用できる。
【図面の簡単な説明】
【００１４】
【図１】本発明に係るコネクタとケーブルの接続構造の実施例を示す。
【図２】本発明に係るケーブル線接続状態の説明図を示す。
【図３】ケーブル線接続状態の断面図を示す。
【図４】従来のコネクタのケーブル線接続構造の説明図を示す。
【符号の説明】
【００１５】
１        ケーブル線
２        ケーブル線被覆部
２ａ      ケーブル線の切り欠き穴内の被覆部
３        熱収縮チューブ
３ａ      熱収縮チューブの穴
３ｂ      熱収縮チューブの切り欠き穴部分
３ｃ      熱収縮チューブのケーブル線とコネクタとの境界部分
４        切り欠き穴内の熱収縮チューブとケーブル線被覆部との接合部
５        コンタクト
５ａ      係止部
６        導体部
１０      防水コネクタソケット
１１      係止部受け部
２０      コネクタハウジング
２１      コネクタハウジング嵌合部
２１ａ    周状突起部
２２      支持部
２３      ケーブル装着部
２４      ケーブル線ズレ規制部
２５      切り欠き穴
２５ａ    切り欠き穴縁部
２６      ケーブル挿入孔
【図１】
2006196193.tif 000003
【図２】
2006196193.tif 000004
【図３】
2006196193.tif 000005
【図４】
2006196193.tif 000006